(57)【要約】【課題】本考案は、収納スペースを変化させることが可能な、吊棚の調整可能な収納スペースの組合せ構造を提供する。【解決手段】少なくとも一つの棚体と、少なくとも一枚の区画スペース板とによって構成する。前記棚体は、対向する両側に配置された第一側壁及び第二側壁と、前記第一側壁及び第二側壁の後方に連結された後壁とを備え、前記第一側壁及び第二側壁の間には、前方に開口を備える収納区画スペースを棚体に形成させるために、複数の水平支持面が設けられ、前記水平支持面は、上面材と下面材とからなる。前記上面材と下面材の間は挟み層を形成し、前記挟み層の少なくとも一つの側を前記第一側壁或いは第二側壁に貫設させる。前記区画スペース板は、順番に連結された複数の板体を表面材で覆ってなるとともに、折り曲げられるか、展開され、一部の表面材は板体を取り出して収納袋を形成させ、前記板体は前記棚体の挟み層に差し込まれる。【選択図】図６
0003165955.tif 000002
【実用新案登録請求の範囲】
【請求項１】
少なくとも一つの棚体と、少なくとも一枚の区画スペース板とによって構成する、吊棚の調整可能な収納スペースの組合せ構造であって、
前記棚体は、対向する両側に配置された第一側壁及び第二側壁と、前記第一側壁及び第二側壁の後方に連結された後壁とを備え、前記第一側壁及び第二側壁の間には、前方に開口を備える収納区画スペースを棚体に形成させるために、複数の水平支持面が設けられ、前記水平支持面は、上面材と下面材とからなり、
前記上面材と下面材の間は挟み層を形成し、前記挟み層の一側を前記第一側壁或いは第二側壁に貫設させるか、或いは、前記挟み層の両側を前記第一側壁及び第二側壁に貫設させ、
前記区画スペース板は、順番に連結された第一板体と第二板体と第三板体とからなるとともに、前記区画スペース板は、コ形状に折り曲げられるか、或いは、平面状に展開され、
コ形状に折り曲げられた第一板体と第三板体は、単一の棚体の上下に隣り合う二枚の水平支持面の挟み層に差し込まれ、さらに第二板体は前記第一側壁或いは第二側壁の外表面にくっつけられ、
平面状に展開された区画スペース板の第一板体と第三板体は、二つの棚体の挟み層にそれぞれ差し込まれ、前記第二板体には収納袋が設けられ、前記収納袋には板体が取り外し可能に設けられることを特徴とする、吊棚の調整可能な収納スペースの組合せ構造。
【請求項２】
一部の前記区画スペース板の第一板体と第二板体と第三板体はコ形状に折り曲げられ、その第一板体と第三板体は、隣り合う二枚の水平支持面の挟み層に差し込まれ、その第二板体には、前記棚体の一側の外表面にくっつけられる収納袋が設けられ、
一部の区画スペース板の第一板体と第二板体と第三板体は平面状に展開され、その第一板体と第三板体は、隣り合う二枚の棚体の挟み層にそれぞれ差し込まれることを特徴とする、請求項１に記載の吊棚の調整可能な収納スペースの組合せ構造。
【請求項３】
前記区画スペース板は、三つ以上の板体からなり、前記板体は、相互に折り曲げられるか、或いは展開され、しかも前記板体には収納袋を設けないことを特徴とする、請求項１に記載の吊棚の調整可能な収納スペースの組合せ構造。
【請求項４】
前記水平支持面は、単一層の面材であり、前記棚体の第一側壁及び第二側壁には、前記水平支持面の側辺に対応する開溝が設けられ、コ形状に折り曲げた前記区画スペース板の第一板体と第二板体は前記開溝に差し込まれ、第一板体と第三板体は上下に隣接する二つの水平支持面に支えられることを特徴とする、請求項１に記載の吊棚の調整可能な収納スペースの組合せ構造。
【考案の詳細な説明】
【技術分野】
【０００１】
本考案は、取り付け組み立て、連結、調整、及び解体がしやすい、衣類や物品の収納装置の収納スペースの組合せ構造に関する。
【背景技術】
【０００２】
居住空間が大きくない国や地域では、置物棚のスペースも限られている。従って、衣服や小物を余分に置ける吊棚は、消費者から好んで使用されている。一般的な簡易型吊棚は、十分な強度と可撓性を備えたキャンバス布からなる。通常、その構造は、上、下、左、右と後面にそれぞれ面材を設け、前方だけ開放状態を保たせ、さらに、複数のパーティションによって複数の物置スペースを形成させ、吊棚の上方には、クローゼットの中や壁の吊棒にぶら下げるために、マジックテープ（登録商標）やその他の固定部材を設ける。
【０００３】
しかしながら、一般的な従来の吊棚はいずれも固定型方式であり、家の実際の状況に合わせて収納スペースを変化させることはできない。
【考案の概要】
【考案が解決しようとする課題】
【０００４】
そこで、本考案は、収納スペースを変化させることが可能な、吊棚の調整可能な収納スペースの組合せ構造を提供することを目的とする。
【課題を解決するための手段】
【０００５】
本考案による吊棚の調整可能な収納スペースの組合せ構造は、軟質の面材からなる棚体に、複数のスペースを形成させるための複数の水平支持面を設け、前記水平支持面に挟み層を設け、挟み層の少なくとも一つの側を棚体の側壁に貫設させ、さらに、複数の板体を連結させてなる区画スペース板を、折り曲げて、或いは、展開させて、単一の棚体或いは複数の棚体の挟み層に差し込むことによって、単一の棚体に、物品を置くことができる収納区画スペースを形成させる、或いは、連結し並列させた複数の棚体に、複数の収納区画スペースを形成させる。
【図面の簡単な説明】
【０００６】
【図１】本考案の棚体の実施例１の構造を示した斜視図である。
【図２】本考案の棚体の実施例２の構造を示した斜視図である。
【図３】本考案の棚体の水平支持面に設けられた挟み層の構造の一部を示した断面斜視図である。
【図４】本考案の区画スペース板を展開させた状態の構造を示した斜視図である。
【図５】本考案の区画スペース板をコ形状に折り曲げた状態を示した斜視図である。
【図６】本考案のコ形状に折り曲げた区画スペース板と棚体の挟み層の組合せの関係を示した斜視図である。
【図７】本考案のコ形状に折り曲げた区画スペース板を棚体の挟み層に組み合わせた後の状態を示した斜視図である。
【図８】コ形状に折り曲げた区画スペース板を棚体の挟み層に組み合わせるとともに、平面状に展開した区画スペース板を二つの棚体に組み合わせた本考案の実施例を示した斜視図である。
【図９】平面状に展開した複数の区画スペース板を二つの棚体に組み合わせた本考案の実施例を示した斜視図である。
【図１０】コ形状に折り曲げた、或いは平面状に展開した複数の区画スペース板を三つの棚体に組み合わせた本考案の実施例を示した斜視図である。
【図１１】棚体に設けた水平支持面が単一層の面材であるとともに二つの側壁に開溝を設けた本考案の実施例を示した斜視図である。
【図１２】コ形状に折り曲げた区画スペース板を棚体の開溝に差し込んだ本考案の実施例を示した斜視図である。
【考案を実施するための形態】
【０００７】
本考案による吊棚の調整可能な収納スペースの組合せ構造は、図１に示すような少なくとも一つの棚体１と、図４に示すような少なくとも一つの区画スペース板２とによって構成する。図１と図３を参照する。本考案の棚体１の実施例１は、対向する両側に配置された第一側壁１１ａ及び第二側壁１１ｂと、第一側壁１１ａ及び第二側壁１１ｂの後方の間に連結された後壁１２とからなる。第一側壁１１ａと第二側壁１１と後壁１２は、いずれも軟質の布材からなる。第一側壁１１ａと第二側壁１１ｂの間には、垂直方向に配列された複数の水平支持面１４を設けることにより、棚体１は前方に複数の開口１３を備える収納区画スペースを形成する。水平支持面１４の好ましい実施例は、上面材１４１と下面材１４２を上下に隣接させ、さらに、上面材１４１及び下面材１４２の前辺、後辺と、第二側壁１１ｂに連結する辺をそれぞれ密封し、第一側壁１１ａに連結する辺だけ密封しない。それにより、上面材１４１と下面材１４２の間に、一側が第一側壁１１ａに貫設される挟み層１４０が形成される。また、本考案は、図２に示すように、上面材１４１と下面材１４２の前辺と後辺をそれぞれ密封し、第一側壁１１ａと第二側壁１１ｂに連結される辺を密封しないままにすることもできる。それにより、上面材１４１と下面材１４２の間には、両側が第一側壁１１ａと第二側壁１１ｂにそれぞれ貫設される挟み層１４０が形成される。上面材１４１と下面材１４２は、透明或いは不透明の軟質のプラスチック面材からなる。
【０００８】
図４と図５に示すように、本考案の区画スペース板２は、可撓性をもつ表面材（例えば、キャンバス布、軟質のビニールシート等）で、順番に連結された第一板体２１と第二板体２２と第三板体２３とを覆ってなる。表面材は、二枚の板体を連結する媒介物質として用いられ、隣り合う二枚の板体を対向させて折り曲げることが可能な折線２０を形成する。以上の構造により、区画スペース板２の第一板体２１と第二板体２２と第三板体２３を折り曲げるとコ形状を形成させることができ、また、それを展開して平面形状にすることもできる。本考案の好ましい実施例において、第二板体２２の位置に対応する表面材の一側は収納袋２２ａを形成し、収納袋の袋口の外には、袋口を覆うための蓋部２２１が設けられ、収納袋２２ａ内には第二板体２２が収納され、それに十分な剛性をもたせることができる。なお、第二板体２２を取り出すと、収納袋２２ａには、物を収容することができる。
【０００９】
図６と図７に示すように、本考案では、複数の区画スペース板２と単一の棚体１を組み合わせて複数の収納区画スペースを形成させる。その組合せ方法は、区画スペース板２を折り曲げてコ形状にした後、区画スペース板２の第一板体２１と第三板体２３を、棚体１の上下に隣接する二つの挟み層１４０内にそれぞれ差し込み、収納袋２２ａを棚体１の第一側壁１１ａの外表面にくっつける。そうすることにより、すぐれた剛性をもつ第一板体２１と第三板体２３によって水平支持面１４が支えられ、水平支持面１４は物の重量に耐えられる支持面となり、また、収納袋２２ａには物品を収納することができる。本考案の好ましい実施例において、少なくとも、水平支持面１４の上面材１４１と下面材１４２は、透明のプラスチック材料からなり、区画スペース板２の各板体の表面には、模様、デザイン、或いは、デザイン性のある色の組み合わせなどを設けることができる。そうすることにより、板体を挟み層１４０内に差し込むと、模様、デザイン、或いは、色の組み合わせが、透明の上面材１４１と下面材１４２に現れる。もちろん、上面材１４１と下面材１４２には、非透明の材料から製造することも可能である。
【００１０】
図８に示すように、本考案の別の実施例では、複数の区画スペース板２を介して二つの棚体１を連結し並列させることにより複数の収納スペースを形成させることができる。図に示すように、まず、複数の区画スペース板２をコ形状に折り曲げると同時に、複数の区画スペース板２を展開させて平面状にする。そして、コ形状に折り曲げた区画スペース板２には、第二板体２１を設けずに収納袋２２ａを形成させ、区画スペース板２の第一板体２１と第三板体２３を棚体１の上下に隣り合う二枚の挟み層にそれぞれ差し込み、収納袋２２ａを棚体の外側壁にくっつける。また、平面状に展開させた区画スペース板２の第一板体２１と第三板体２３は、二つの棚体１の挟み層にそれぞれ差し込み、さらに第二板体２２を収納袋２２ａ内に設けて二つの棚体１の間に配置することにより、外部の収納スペースが形成される。
【００１１】
図９に示すように、本考案の別の実施例では、複数の区画スペース板２を介して二つの棚体１連結し並列させ複数の收納スペースを形成させることができる。図に示すように、まず、複数の区画スペース板２を平面状に展開し、平面状の区画スペース板２の第一板体２１と第三板体２３を、二つの棚体１の挟み層にそれぞれ差し込み、収納袋２２ａ内に設けた第二板体２２を二つの棚体１の間に配置すると、外部の収納スペースが形成される。
【００１２】
図１０に示すように、本考案の別の実施例では、複数の区画スペース板２を介して三つの棚体１連結し並列させ複数の収納スペースを形成させることができる。本実施例では、区画スペース板２は、表面材で三枚以上の板体を覆ってなる。図に示すように、複数の区画スペース板２を、それぞれコ形状に折り曲げるか、或いは平面状に展開させ、コ形状の区画スペース板２の第一板体２１と第三板体２３を、棚体１の上下に隣接する挟み層にそれぞれ差し込み、収納袋２２ａを棚体の外側壁にくっつける。また、平面に展開させた区画スペース板２の第一板体２１と第三板体２３は、隣接する二つの棚体１の挟み層にそれぞれ差し込む。そうすることにより、三つの棚体１が連結され並列された形態になり、優れた剛性をもつ区画スペース板２によって棚体の水平支持面１４が支えられ、水平支持面１４は物品を置くことが可能な支持面となる。図において、三つの棚体１の最底部に連結された区画スペース板は、順番に連結された五枚の板体からなり、その五枚の板体の内の数枚の板体は、棚体の挟み層に差し込まれ、残りの板体は二つの棚体の間に配置されて外部の収納スペースとなる。
【００１３】
前述した棚体１の上面には、吊棒３にぶら下げるための固定部材１５が設けられる。固定部材１５の好ましい実施例は、二つのマジックテープ（登録商標）あからなる。二つのマジックテープ（登録商標）でクローゼットの吊棒３の外部を覆った後、二つのマジックテープ（登録商標）を貼り合わせて固定すると、棚体１を吊棒３にぶら下げることができる。
【００１４】
図１１に示すように、本考案の別の実施例では、棚体１に設けた水平支持面１４は単一層の面材を採用し、水平支持面１４の後辺を棚体１の後壁１２に連結させ、水平支持面１４の左、右両側辺を棚体１の第一側壁１１ａと第二側壁１１ｂに連結させた後、さらに、第一側壁１１ａ、或いは／及び第二側壁１１ｂに、水平支持面１４の側辺にほとんど対応する開溝１４３を設ける。以上の構造により、図１２に示すように、コ形状に折り曲げられた区画スペース板２の第一板体２１と第三板体２３を、上下に隣接する二つの開溝１４３にそれぞれ差し込むことができ、それにより、第一板体２１と第三板体２３は、上下に隣接する二枚の水平支持面１４にそれぞれ支えられる。さらに、水平支持面と、第一板体及び第三板体には相互に粘着するマジックテープ（登録商標）（図示せず）を設けることができ、それにより、第一板体と第三板体は水平支持面に固定される。
【符号の説明】
【００１５】
１        棚体
１１ａ    第一側壁
１１ｂ    第二側壁
１２      後壁
１３      開口
１４      水平支持面
１４０    挟み層
１４１    上面材
１４２    下面材
１４３    開溝
１５      固定部材
２        区画スペース板
２０      折線
２１      第一板体
２２      第二板体
２２ａ    収納袋
２２１    蓋部
２３      第三板体
３        吊棒
【図１】
0003165955.tif 000003
【図２】
0003165955.tif 000004
【図３】
0003165955.tif 000005
【図４】
0003165955.tif 000006
【図５】
0003165955.tif 000007
【図６】
0003165955.tif 000008
【図７】
0003165955.tif 000009
【図８】
0003165955.tif 000010
【図９】
0003165955.tif 000011
【図１０】
0003165955.tif 000012
【図１１】
0003165955.tif 000013
【図１２】
0003165955.tif 000014